(57)【要約】【課題】本発明の実施形態が解決しようとする課題は、ＯＦＤＭのフルデュプレックス通信において、受信信号と干渉がずれていても、精度よく干渉伝搬路特性を推定できる無線通信装置、方法およびプログラムを提供する。【解決手段】上記課題を解決するために、実施形態の無線通信装置は、受信周波数帯および受信時間帯で第１ＯＦＤＭ信号を受信する受信部と、第２ＯＦＤＭ信号を生成する処理部と、送信周波数帯および送信時間帯でこの第２ＯＦＤＭ信号を送信する送信部を備える。この２つの信号は周波数帯および時間帯で区切られた複数のリソースエレメント（ＲＥ）の信号であり、少なくとも一部で重なる。第１周波数帯において、この第１ＯＦＤＭ信号の１つ以上の第１ＲＥはヌルであり、この第２ＯＦＤＭ信号の時間帯が連続した２つ以上の第２ＲＥは位相を連続させた第１シンボルであり、この第２ＲＥの他の第３ＲＥはこの第１シンボルと異なるシンボルである。【選択図】  図４
2020127113.tif 000002
【特許請求の範囲】
【請求項１】
受信周波数帯および受信時間帯で、第１ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号を受信する受信部と、
第２ＯＦＤＭ信号を生成する処理部と、
送信周波数帯および送信時間帯で、前記第２ＯＦＤＭ信号を送信する送信部と、
を備え、
前記受信周波数帯および前記送信周波数帯は少なくとも第１周波数帯で重なり、
前記受信時間帯および前記送信時間帯は少なくとも一部で重なり、
前記第１ＯＦＤＭ信号および前記第２ＯＦＤＭ信号は周波数帯および時間帯で区切られた複数のリソースエレメントに割り当てられた信号であり、
前記第１ＯＦＤＭ信号の前記第１周波数帯における少なくとも１つの第１リソースエレメントにはヌルが割り当てられ、
前記第２ＯＦＤＭ信号の前記第１周波数帯におけるリソースエレメントは、時間帯において連続した少なくとも２つのリソースエレメントに位相を連続させた第１シンボルが割り当てられた第２リソースエレメントを含み、前記第２リソースエレメントの他に前記第１シンボルとは異なるシンボルが割り当てられた第３リソースエレメントを含む、
無線通信装置。
【請求項２】
前記処理部は、前記第１ＯＦＤＭ信号と、干渉となる前記第２ＯＦＤＭ信号の時間のずれを検知し、少なくとも前記時間のずれに基づいて、前記第２リソースエレメントを前記第１リソースエレメントに重なる時間帯に割り当てる、
請求項１に記載の無線通信装置。
【請求項３】
前記第１ＯＦＤＭ信号の前記第１周波数帯におけるリソースエレメントは、前記第１リソースエレメントの他に、シンボルが割り当てられた第４リソースエレメントを含む、
請求項１または２に記載の無線通信装置。
【請求項４】
前記第１ＯＦＤＭ信号の前記第１リソースエレメントの前後に隣接する時間帯のリソースエレメントには、データを含むシンボルが割り当てられ、
前記第２ＯＦＤＭ信号の前記第２リソースエレメントの前後に隣接する時間帯のリソースエレメントには、データを含むシンボルが割り当てられる、
請求項１乃至３のいずれか１つに記載の無線通信装置。
【請求項５】
前記第１リソースエレメントは、シンボルが割り当てられないリソースエレメントおよび第１電力よりも小さいシンボルが割り当てられるリソースエレメントの少なくとも一方である、
請求項１乃至４のいずれか１つに記載の無線通信装置。
【請求項６】
前記第２リソースエレメントは、前記第１周波数帯および第１時間帯からなる少なくとも２つのリソースエレメントであり、
前記第２ＯＦＤＭ信号のリソースエレメントは、前記第１周波数帯に隣接する第２周波数帯および前記第１時間帯であり、前記第１シンボルが割り当てられた第５リソースエレメントを含む、
請求項１乃至５のいずれか１つに記載の無線通信装置。
【請求項７】
前記第２ＯＦＤＭ信号の第１周波数帯以外の周波数帯におけるリソースエレメントは、位相を連続させていないシンボルが割り当てられたリソースエレメントを少なくとも１つ含む、
請求項１乃至６のいずれか１つに記載の無線通信装置。
【請求項８】
前記第１シンボルは、既知シンボルの位相を連続させたシンボルである、
請求項１乃至７のいずれか１つに記載の無線通信装置。
【請求項９】
受信周波数帯および受信時間帯で、第１ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号を受信する受信部と、
第２ＯＦＤＭ信号を生成する処理部と、
送信周波数帯および送信時間帯で、前記第２ＯＦＤＭ信号を送信する送信部と、
を備え、
前記受信周波数帯および前記送信周波数帯は少なくとも第１周波数帯で重なり、
前記受信時間帯および前記送信時間帯は少なくとも一部で重なり、
前記第１ＯＦＤＭ信号および前記第２ＯＦＤＭ信号は周波数帯および時間帯で区切られたリソースエレメントに割り当てられた信号であり、
前記第２ＯＦＤＭ信号の前記第１周波数帯におけるリソースエレメントは、ヌルが割り当てられた少なくとも２つの第１リソースエレメント、および前記第１リソースエレメントの他にシンボルが割り当てられた第２リソースエレメントを含み、
前記第１リソースエレメントと同じ時間帯であって隣接する周波数帯における第３リソースエレメントには、位相を連続させた第１シンボルが割り当てられる、
無線通信装置。
【請求項１０】
受信周波数帯および受信時間帯で、第１ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号を受信し、
第２ＯＦＤＭ信号を生成し、
送信周波数帯および送信時間帯で、前記第２ＯＦＤＭ信号を送信し、
前記受信周波数帯および前記送信周波数帯は少なくとも第１周波数帯で重なり、
前記受信時間帯および前記送信時間帯は少なくとも一部で重なり、
前記第１ＯＦＤＭ信号および前記第２ＯＦＤＭ信号は周波数帯および時間帯で区切られた複数のリソースエレメントに割り当てられた信号であり、
前記第１ＯＦＤＭ信号の前記第１周波数帯における少なくとも１つの第１リソースエレメントにはヌルが割り当てられ、
前記第２ＯＦＤＭ信号の前記第１周波数帯におけるリソースエレメントは、時間帯において連続した少なくとも２つのリソースエレメントに位相を連続させた第１シンボルが割り当てられた第２リソースエレメントを含み、前記第２リソースエレメントの他に前記第１シンボルとは異なるシンボルが割り当てられた第３リソースエレメントを含む、
方法。
【請求項１１】
受信周波数帯および受信時間帯で、第１ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号を受信し、
第２ＯＦＤＭ信号を生成し、
送信周波数帯および送信時間帯で、前記第２ＯＦＤＭ信号を送信し、
前記受信周波数帯および前記送信周波数帯は少なくとも第１周波数帯で重なり、
前記受信時間帯および前記送信時間帯は少なくとも一部で重なり、
前記第１ＯＦＤＭ信号および前記第２ＯＦＤＭ信号は周波数帯および時間帯で区切られたリソースエレメントに割り当てられた信号であり、
前記第２ＯＦＤＭ信号の前記第１周波数帯におけるリソースエレメントは、ヌルが割り当てられた少なくとも２つの第１リソースエレメント、および前記第１リソースエレメントの他にシンボルが割り当てられた第２リソースエレメントを含み、
前記第１リソースエレメントと同じ時間帯であって隣接する周波数帯における第３リソースエレメントには、位相を連続させた第１シンボルが割り当てられる、
方法。
【請求項１２】
受信周波数帯および受信時間帯で、第１ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号を受信させ、
第２ＯＦＤＭ信号を生成させ、
送信周波数帯および送信時間帯で、前記第２ＯＦＤＭ信号を送信させ、
前記受信周波数帯および前記送信周波数帯は少なくとも第１周波数帯で重なり、
前記受信時間帯および前記送信時間帯は少なくとも一部で重なり、
前記第１ＯＦＤＭ信号および前記第２ＯＦＤＭ信号は周波数帯および時間帯で区切られた複数のリソースエレメントに割り当てられた信号であり、
前記第１ＯＦＤＭ信号の前記第１周波数帯における少なくとも１つの第１リソースエレメントにはヌルが割り当てられ、
前記第２ＯＦＤＭ信号の前記第１周波数帯におけるリソースエレメントは、時間帯において連続した少なくとも２つのリソースエレメントに位相を連続させた第１シンボルが割り当てられた第２リソースエレメントを含み、前記第２リソースエレメントの他に前記第１シンボルとは異なるシンボルが割り当てられた第３リソースエレメントを含む、
プログラム。
【請求項１３】
受信周波数帯および受信時間帯で、第１ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号を受信させ、
第２ＯＦＤＭ信号を生成させ、
送信周波数帯および送信時間帯で、前記第２ＯＦＤＭ信号を送信させ、
前記受信周波数帯および前記送信周波数帯は少なくとも第１周波数帯で重なり、
前記受信時間帯および前記送信時間帯は少なくとも一部で重なり、
前記第１ＯＦＤＭ信号および前記第２ＯＦＤＭ信号は周波数帯および時間帯で区切られたリソースエレメントに割り当てられた信号であり、
前記第２ＯＦＤＭ信号の前記第１周波数帯におけるリソースエレメントは、ヌルが割り当てられた少なくとも２つの第１リソースエレメント、および前記第１リソースエレメントの他にシンボルが割り当てられた第２リソースエレメントを含み、
前記第１リソースエレメントと同じ時間帯であって隣接する周波数帯における第３リソースエレメントには、位相を連続させた第１シンボルが割り当てられる、
プログラム。
【発明の詳細な説明】
【技術分野】
【０００１】
本発明の実施形態は、信号を受信している間に、信号を受信している周波数帯で信号の送信を行う、フルデュプレックス通信に関する無線通信装置、方法、およびプログラムに関する。
【背景技術】
【０００２】
同じ周波数帯を用いて送受信を行うフルデュプレックス通信技術が開発されている。ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を用いたフルデュプレックス通信において、受信を行う信号および送信を行う信号による干渉に時系列的なずれが生じる。このずれが生じていても、精度よく干渉伝搬路特性を推定することができる無線通信装置が望まれる。
【先行技術文献】
【特許文献】
【０００３】
【特許文献１】特許第６３７３３６９号公報
【発明の概要】
【発明が解決しようとする課題】
【０００４】
本発明の実施形態が解決しようとする課題は、ＯＦＤＭを用いたフルデュプレックス通信において、受信を行う信号および送信を行う信号による干渉に時系列的なずれが生じていても、精度よく干渉伝搬路特性を推定することができる無線通信装置、方法、およびプログラムを提供する。
【課題を解決するための手段】
【０００５】
上記課題を解決するために、実施形態の無線通信装置は、受信周波数帯および受信時間帯で、第１ＯＦＤＭ信号を受信する受信部と、第２ＯＦＤＭ信号を生成する処理部と、送信周波数帯および送信時間帯で、この第２ＯＦＤＭ信号を送信する送信部を備える。この受信周波数帯およびこの送信周波数帯は少なくとも第１周波数帯で重なり、この受信時間帯およびこの送信時間帯は少なくとも一部で重なる。この第１ＯＦＤＭ信号およびこの第２ＯＦＤＭ信号は周波数帯および時間帯で区切られた複数のリソースエレメントに割り当てられた信号である。この第１ＯＦＤＭ信号のこの第１周波数帯における少なくとも１つの第１リソースエレメントにはヌルが割り当てられる。この第２ＯＦＤＭ信号のこの第１周波数帯におけるリソースエレメントは、時間帯において連続した少なくとも２つのリソースエレメントに位相を連続させた第１シンボルが割り当てられた第２リソースエレメントを含み、この第２リソースエレメントの他にこの第１シンボルとは異なるシンボルが割り当てられた第３リソースエレメントを含む。
【図面の簡単な説明】
【０００６】
【図１】第１の実施形態における無線通信のシステム図。
【図２】図１の無線通信装置１００および２００の通信を表す図。
【図３】無線通信装置２００が送信する信号Ｂのリソースエレメントの構成を表す図。
【図４】無線通信装置１００が送信する信号Ａのリソースエレメントの構成を表す図。
【図５】信号Ａにおいて、２つのリソースエレメントにそれぞれ既知シンボルが割り当てられた信号の波形を表す図。
【図６】信号Ａにおいて、２つのリソースエレメントに位相を連続させた既知シンボルが割り当てられた信号の波形を表す図。
【図７】第１の実施形態における無線通信装置１００の構成を表す図。
【図８】第１の実施形態における、無線通信装置１００が信号Ａを構成する際の動作のフローチャート。
【図９】信号Ｂおよび信号Ｂに干渉を与える信号Ａの時系列的なずれを説明する図。
【図１０】図６において、ＦＦＴ  ｗｉｎｄｏｗをかけた区間を説明する図。
【図１１】信号Ｂおよび信号Ｂに干渉を与える信号Ａの時系列的なずれによって信号Ａの構成を信号ａに変更することを説明する図。
【図１２】図４において、リソースエレメントＣＴの両隣の周波数帯のリソースエレメントに位相を連続させた既知シンボルを割り当てた信号Ａの構成図。
【図１３】図２において、無線通信装置２００が送信する信号Ｂが信号Ａに干渉となることを表す図。
【図１４】第１の実施形態に適用可能な、無線通信装置２００が送信する信号２Ｂのリソースエレメントの構成を表す図。
【図１５】第１の実施形態に適用可能な、無線通信装置１００が送信する信号２Ａのリソースエレメントの構成を表す図。
【図１６】信号２Ａおよび信号２Ａに干渉を与える信号２Ｂの時系列的なずれを説明する図。
【発明を実施するための形態】
【０００７】
以下、発明を実施するための実施形態について説明する。
【０００８】
（第１の実施形態）
図１は、第１の実施形態における無線通信システムを表す図である。少なくとも１台の端末１０から基地局２０にデータＡを送信する。基地局２０は、基地局２０に接続された無線通信装置１００にデータＡを送信する。この無線通信装置１００は、このデータＡを含む信号Ａを無線通信装置２００に無線送信する。このデータＡは、無線通信装置２００からネットワーク２５０へと送られる。一方、ネットワーク２５０から無線通信装置２００に送られたデータＢは、信号Ｂに含まれて無線通信装置１００に送られる。このデータＢは無線通信装置１００から基地局２０に送られ、端末１０に送られる。すなわち、無線通信装置１００および２００は、基地局とネットワークとを結ぶ中継器である。本実施形態では、この無線通信装置１００および２００の間における通信を、フルデュプレックス通信で行う。
【０００９】
図２は、無線通信装置１００および２００の間における通信を説明するための図である。前提として、本実施形態における無線通信装置１００および２００の間の通信は、ＯＦＤＭ方式を用いている。また、無線通信装置１００は無線通信装置２００から信号の受信を行う周波数帯の少なくとも一部を用いて、信号の受信を行いながら信号の送信を行う。すなわち、無線通信装置１００および２００はフルデュプレックス通信を行う。図２では、無線通信装置１００および２００は周波数帯αを用いてフルデュプレックス通信を行っている。無線通信装置１００が送信する信号を信号Ａとし、無線通信装置２００が送信する信号を信号Ｂとする。
【００１０】
無線通信装置１００が受信する信号Ｂには、信号Ａによる干渉を受けている。信号ＢからデータＢを復調するために、信号Ｂが受けているこの干渉を低減させる必要がある。無線通信装置１００は、信号Ａが信号Ｂに対して与える干渉の干渉伝搬路特性（以降、ＩＡと呼ぶ）を推定し、この干渉を低減させる信号（以降、ＲＡと呼ぶ）を生成する。無線通信装置１００は、この信号ＲＡにより信号Ｂの干渉を低減し、データＢを復調することができる。
【００１１】
干渉伝搬路特性ＩＡは時間が経過することによって変化する可能性があるため、無線通信装置１００は干渉伝搬路特性ＩＡを推定し、更新しながら干渉の低減を行う。この干渉伝搬路特性ＩＡの推定は、無線通信装置１００が定める一定時間おきであってもよいし、無線通信装置１００が定める条件を満たした場合に行うようにしてもよい。
【００１２】
図３は、無線通信装置２００が送信する信号Ｂの構成を表す図である。本実施形態における信号Ｂは、時間帯と周波数帯とで区切られた複数のリソースエレメントで説明される。図３では、周波数帯が１から１８まで番号付けされているが、これらは図２の周波数帯αに内包されるものとする。各リソースエレメントには、データシンボルが割り当てられているか、何のシンボルも割り当てられていない。図３では、データシンボルが割り当てられているリソースエレメントをＤＲ、シンボルが割り当てられていないリソースエレメントをＮと表している。すなわち、信号Ｂは図３に表す複数のリソースエレメントで表され、このうち、リソースエレメントＤＲに割り当てられるデータシンボルはネットワーク２５０から端末１０へ送信するデータＢを含む。
【００１３】
なお、シンボルが割り当てられていないリソースエレメントについて、リソースエレメントＮのほかにヌルが割り当てられたリソースエレメントとも表す。すなわち、信号Ｂの一部のリソースエレメントには、ヌルが割り当てられている。
【００１４】
また、リソースエレメントＮは、シンボルが割り当てられていないリソースエレメントだけではなく、シンボルが割り当てられているリソースエレメントであるがそのシンボルの電力が一定以下である場合も含むものとする。例えば、このシンボルの電力が、復調できないほど小さい場合である。無線通信装置１００はこのリソースエレメントにはシンボルが割り当てられていないと判断するため、リソースエレメントＮとみなされる。
【００１５】
リソースエレメントＤＲはデータシンボルが割り当てられているため、無線通信装置１００にとって未知のリソースエレメントである。一方、リソースエレメントＮにはシンボルが割り当てられていないため、無線通信装置１００は受信した際にリソースエレメントＮを容易に認識することができる。
【００１６】
干渉伝搬路特性ＩＡの推定は、図３に示す信号ＢのリソースエレメントＮの受信タイミングに、無線通信装置１００が送信する信号Ａのリソースエレメントを合わせることで行われる。無線通信装置１００にとって、送信する信号Ａのリソースエレメントはすべて既知であるため、このリソースエレメントＮに信号Ａが与える干渉および送信した信号Ａを比較することができる。この比較により、無線通信装置１００は干渉伝搬路特性ＩＡを推定することができる。
【００１７】
図４は、無線通信装置１００が送信する信号Ａのリソースエレメント構成を表す図である。本実施形態における信号Ａも信号Ｂと同様に、周波数帯および時間帯で区切られた複数のリソースエレメントで表される。図４の信号Ａのリソースエレメントにおける周波数帯１から１８は図２の周波数帯αに内包される。また、信号Ａの周波数帯１から１８および信号Ｂの周波数帯１から１８はそれぞれ同じ周波数帯に位置するものとする。
【００１８】
図４では、データＡを含むデータシンボルが割り当てられているリソースエレメントをＤＴと表し、２つに渡って既知シンボルが割り当てられているリソースエレメントをＣＴと表している。既知シンボルとは、無線通信装置１００および２００の間で事前に内容が共有されているシンボルであり、例えばパイロットシンボルなどである。本実施形態では、このリソースエレメントＣＴは位相を連続させた既知シンボルが割り当てられている。また、このリソースエレメントＣＴを信号ＢのリソースエレメントＮに合わせて干渉伝搬路特性ＩＡを推定する。信号Ａも信号Ｂと同様に説明する。信号Ａは図４に表すリソースエレメント全体の信号を表し、シンボルは個々のリソースエレメントに割り当てられる信号を意味する。
【００１９】
また、信号Ａのリソースエレメントには、位相を連続させた既知シンボルが割り当てられたリソースエレメントＣＴが含まれる。このリソースエレメントＣＴについて、図５および図６を用いて説明する。図５を用いて位相を連続させていない既知シンボルが割り当てられた場合について説明する。続いて図６を用いて位相を連続させた既知シンボルが割り当てられた場合について説明する。この２つの場合の差異を説明し、信号Ａのリソースエレメントに位相を連続させた既知シンボルが割り当てられたリソースエレメントＣＴが使われる理由を説明する。
【００２０】
まず、図５は２つのリソースエレメントにそれぞれ既知シンボルが割り当てられた信号の波形を表す図である。この場合、２つのリソースエレメントに割り当てられた既知シンボルの位相は連続していない。説明のために、既知シンボルを割り当てた１つのリソースエレメントを、リソースエレメントＰＴと表すものとする。
【００２１】
すなわち、連続する２つのリソースエレメントにそれぞれ既知シンボルが割り当てられた場合、リソースエレメントＰＴが時系列的に２つ並んでいる。このリソースエレメントＰＴの信号の波形を表した図が図５である。図５では、リソースエレメントＰＴの信号の区間をＰＴ（ｔ）と表している。ここで、図５におけるＣＰ（Ｃｙｃｌｉｃ  Ｐｒｅｆｉｘ）とは、シンボルの一部のコピーである。ＣＰは、ＯＦＤＭ方式において時系列的に隣り合うリソースエレメントに割り当てられたシンボルが混ざり合わないようにするために割り当てられる。このＣＰは、図５ではＰＴ（ｔ）の後に割り当てられているが、ＰＴ（ｔ）の前に割り当てられるようにしてもよい。
【００２２】
図５では、ＰＴ（ｔ）の後にＣＰが割り当てられているため、ＣＰとＰＴ（ｔ）との間で波形が連続していないことが破線で囲まれて表されている。この信号の波形が連続していないことをシンボルの位相が連続していないと表現する。シンボルの位相が連続していないことで、このリソースエレメントＰＴのタイミングが、信号ＢのリソースエレメントＮのタイミングと一致していなければ、干渉伝搬路特性ＩＡの推定の精度が低下する。
【００２３】
一方、図６は、２つのリソースエレメントに位相を連続させた既知シンボルが割り当てられた信号の波形を表す図である。この２つのリソースエレメントをまとめてリソースエレメントＣＴと表現している。本実施形態における信号Ａには、このリソースエレメントＣＴが用いられている。図６において、このリソースエレメントＣＴの信号の区間はＣＴ（ｔ）と表されている。既知シンボルの位相を連続させるには、図６の１つ目のＣＰに続くＰＴに位相回転を施した信号を割り当てる。位相回転を施した信号は、図６ではｅ―ｊθと表されている。この位相回転を施した信号を割り当てることで、１つ目のＣＰと２つ目のＰＴ（ｔ）との間で波形が連続することが破線で囲まれて表されている。この１つ目のＣＰは、１つ目のＰＴ（ｔ）の一部をコピーしたものである。すなわち、無線通信装置１００はこの１つ目のＣＰの終わりの位相を把握することができる。無線通信装置１００は、続く２つ目のＰＴの始まりの位相を回転させ、１つ目のＣＰの終わりの位相と重ねる。このようにすることで、２つの既知シンボルの波形を連続させることができる。また、この２つのシンボルの波形が連続したことを、２つのシンボルの位相が連続したとも表す。波形が連続することで、干渉となった信号Ａおよび信号Ｂに時系列的なずれが生じていても、干渉伝搬路特性ＩＡの推定を精度よく行うことができる。
【００２４】
したがって、位相を連続させた既知シンボルが割り当てられたリソースエレメントＣＴとすることで、このリソースエレメントＣＴのタイミングと、信号ＢのリソースエレメントＮのタイミングと一致していなくてもよい。２つ分のリソースエレメントＣＴに信号ＢのリソースエレメントＮが重なっていれば、干渉となった信号Ａおよび信号Ｂに時系列的なずれが生じていても、干渉伝搬路特性ＩＡの推定を精度よく行うことができる。
【００２５】
なお、図３に表した信号Ｂの構成および図４に表した信号Ａの構成は一例であって、シンボルの割り当てを限定するものではない。リソースエレメントに対する既知シンボル、データシンボルの割り当ておよびヌルの割り当ては様々に考えられ、組み合わせは任意である。信号Ｂにおけるヌルを割り当てられたリソースエレメントが属する周波数帯と、信号Ａにおける位相を連続させた既知シンボルが割り当てられたリソースエレメントが属する周波数帯とが同じ周波数帯であれば、無線通信装置１００は干渉伝搬路特性ＩＡの推定を精度よく行うことができる。
【００２６】
また、本実施形態では、信号Ａにおいて既知シンボルの位相を連続させていたが、位相を連続させるシンボルはこれに限定されない。データシンボルや、その他のシンボルの位相を連続させ、リソースエレメントＣＴとするようにしてもよい。
【００２７】
本実施形態の無線通信装置１００の構成を、図７を用いて説明する。無線通信装置１００は、取得部１０１、制御部１０２、送信部１０３、受信部１０４、干渉低減部１０５、出力部１０６を備える。
【００２８】
取得部１０１は、無線通信装置１００に接続されている基地局２０からデータＡを取得する。このデータＡは、端末１０が基地局２０に送信したデータである。これらのデータＡは、制御部１０２に送られて信号Ａとなり、送信部１０３、無線通信装置２００を通じてネットワーク２５０へと届けられる。
【００２９】
制御部１０２は、リソースエレメントにシンボルを割り当てることで信号Ａを構成する。この信号Ａは送信部１０３に送られる。また、制御部１０２は、受信部１０４から送られた信号Ａの干渉を受けた信号Ｂおよび信号Ａから、干渉となった信号Ａおよび信号Ｂの間における時系列的なずれの検出を行う。制御部１０２は、この時系列的なずれが生じていても、信号ＢのリソースエレメントＮにリソースエレメントＣＴが重なるように、位相を連続させたシンボルを割り当てる。
【００３０】
送信部１０３は、制御部１０２から送られた信号Ａを変調して無線通信装置２００に送信する。この送信は無線で行われ、例えば送信部１０３に備えられたアンテナで行われる。また、送信部１０３は、この信号Ａを制御部１０２および干渉低減部１０５に送る。この信号Ａは、信号Ａおよび信号Ｂの間における時系列的なずれの検出、干渉伝搬路特性ＩＡの推定、および信号Ｂが受ける信号Ａによる干渉を低減させる信号ＲＡの生成に使われる。
【００３１】
受信部１０４は無線通信装置２００から、信号Ａから干渉を受けた信号Ｂを受信する。この信号Ａから干渉を受けた信号Ｂは干渉低減部１０５に送られ、干渉伝搬路特性ＩＡの推定に使われる。この受信は無線で行われ、例えば受信部１０４に備えられたアンテナで行われる。また、受信部１０４は、干渉低減部１０５によって干渉を低減された信号Ｂを、データＢに復調する。このデータＢは、出力部１０６に送られる。
【００３２】
干渉低減部１０５は、干渉伝搬路特性ＩＡの推定を行う。また、干渉低減部１０５は、干渉伝搬路特性ＩＡおよび送信部１０３から送られる信号Ａから、信号ＲＡを生成する。干渉低減部１０５は、この信号ＲＡを用いて、受信部１０４から送られた、信号Ａから干渉を受けた信号Ｂから、この干渉を低減させる処理を行う。干渉低減部１０５により干渉が低減された信号Ｂは、受信部１０４に戻される。
【００３３】
なお、干渉伝搬路特性ＩＡの推定は、図３に示す信号ＢのリソースエレメントＮの受信タイミングに、無線通信装置１００が送信する信号Ａのリソースエレメントを合わせることで行われる。
【００３４】
出力部１０６は、受信部１０４にて復調されたデータＢを、基地局２０に出力する。このデータＢは基地局２０から端末１０へと送られる。
【００３５】
なお、信号の変調および復調、制御部１０２の処理、干渉低減部１０５の処理は、それぞれプロセッサなどの処理部で実現される。これらを有する無線通信装置１００は、ＬＳＩなどの回路で実現される。また、この無線通信装置１００の構成はそれぞれ独立な構成要素を接続して実現されるようにしてもよいし、一部をまとめるようにしてもよい。
【００３６】
無線通信装置２００の構成は、無線通信装置１００とフルデュプレックス通信を行うことができれば既存の構成でよい。また、無線通信装置１００と同様の構成であってもよい。
【００３７】
次に、無線通信装置１００が、信号Ａを構成する際に行う、リソースエレメントへのシンボルの割り当てにおける動作について、図８から図１０を用いて説明する。なお、前提として、無線通信装置１００および２００は周波数帯αにてフルデュプレックス通信を行っているものとする。また、取得部１０１によるデータＡの取得、受信部１０４による信号の受信および復調、干渉低減部１０５の干渉伝搬路特性ＩＡの推定、信号ＲＡの生成、干渉の低減、出力部１０６によるデータＢの出力は適宜行われているものとする。また、無線通信装置１００による信号Ａの送信は一度行われており、受信部１０４はこの信号Ａによる干渉を受けた信号Ｂを受信しているものとする。これらの信号ＡおよびＢの構成は、図３および図４に示した構成であるものとする。この図３および図４の構成は、無線通信装置１００および２００がフルデュプレックス通信を行う際の事前のやり取りにより、周波数帯５および１５のリソースエレメントにヌルまたは位相を連続させた既知シンボルが割り当てられるように構成されたものである。無線通信装置２００においても同様に、データＢの取得、信号Ａの受信、干渉の低減および復調、データＡの出力が行われるものとする。
【００３８】
まず、制御部１０２は、送信部１０３から変調した信号Ａを受け取り、受信部１０４から信号Ａの干渉を受けた信号Ｂを受け取る。制御部１０２は、受け取った２つの信号から、制御部１０２はこの２つの信号における時系列的なずれを検出する（ステップＳ１０１）。具体的には、信号Ｂにおけるヌルが割り当てられたリソースエレメントに信号Ａのどのリソースエレメントが干渉を与えているかを判定することにより、この時系列的なずれを検出している。
【００３９】
次に、制御部１０２は、この２つの信号における時系列的なずれを見ながら、信号ＢのリソースエレメントＮと時間帯が重なる複数のリソースエレメントに、位相を連続させたシンボルを割り当てた信号を構成する（ステップＳ１０２）。制御部１０２は、構成したこの信号Ａを送信部１０３に送る。
【００４０】
このステップＳ１０１およびＳ１０２の動作について、図９を用いて具体的に説明する。図９は、信号ＢのリソースエレメントＮに対して干渉を与える信号Ａのリソースエレメントの一例を表した図である。図９では、図３で表した信号Ｂおよび図４で表した信号Ａについて、周波数帯および時間帯が共通する一部を時系列的に並べて表している。干渉となる信号Ａは受信部１０４に回り込んで受信されるため、信号Ａの時間帯および信号Ｂの時間帯とが一致するとは限らない。例えば図９では、制御部１０２は、リソースエレメントＣＴの信号を干渉として受信を開始するタイミングと、信号Ｂのヌルが割り当てられたリソースエレメントの時間帯から、信号Ａおよび信号Ｂはｔｌａｇ１だけずれていることを検知している。
【００４１】
干渉低減部１０５が干渉伝搬路特性ＩＡの推定を行うためには、信号ＢのリソースエレメントＮに干渉する信号Ａのリソースエレメントが重要になる。例えば図９では、信号ＡのリソースエレメントＣＴの一部が信号ＢのリソースエレメントＮに干渉を与えている。
【００４２】
干渉低減部１０５が干渉伝搬路特性ＩＡの推定を行うにあたっては、信号ＢのリソースエレメントＮの位置でＦＦＴ窓（ＦＦＴ  ｗｉｎｄｏｗ）をかけることにより、区間を特定する必要がある。この区間について図１０を用いて説明する。図１０は、信号ＡのリソースエレメントＣＴの信号の波形およびＦＦＴ  ｗｉｎｄｏｗをかける区間を表している。図１０から、ＦＦＴ  ｗｉｎｄｏｗは位相を連続させたシンボルにかけられている。すなわち、信号の波形が連続している場所にＦＦＴ  ｗｉｎｄｏｗがかけられていることで、干渉低減部１０５は干渉伝搬路特性ＩＡの推定を精度よく行うことができる。なお、本実施形態ではリソースエレメントＣＴに割り当てられた、位相を連続させたシンボルは既知シンボルである。なお、位相を連続させたシンボルは既知シンボルに限定されず、例えばデータシンボルであってもよい。
【００４３】
図９の場合、信号Ａはすでに信号ＢのリソースエレメントＮと時間帯が重なる２つのリソースエレメントに、位相を連続させた既知シンボルを割り当てた構成となっている。よって、制御部１０２は図４に表した信号Ａを引き続き構成する。
【００４４】
図８に戻ると、次に送信部１０３は、制御部１０２から送られた信号を変調し、無線通信装置２００に対して送信する（ステップＳ１０３）。
【００４５】
次に、制御部１０２は、無線通信装置１００の動作を終了させる終了指令が届いていないかを確認する（ステップＳ１０４）。この終了指令は、無線通信装置１００の動作を本フローで終了させる指令であり、ユーザによる入力や、終了指令を含んだ信号を受信部１０４が受信するなどして制御部１０２に伝えられる。この終了指令は、直ちに無線通信装置１００の動作を終了させる指令であってもよい。
【００４６】
制御部１０２にこの終了指令が届いていない場合（ステップＳ１０４：Ｎｏ）、ステップＳ１０１に戻る。一方、制御部１０２にこの終了指令が届いている場合（ステップＳ１０４：Ｙｅｓ）、フローは終了し、無線通信装置１００は動作を終了する。
【００４７】
以上に無線通信装置１００が信号Ａを構成する際に行う、リソースエレメントへのシンボルの割り当てにおける動作について説明した。なお、図９における例では、図３に示した信号Ｂおよび図４に示した信号Ａの一部で説明したが、それ以外の信号ＢにおけるリソースエレメントＮおよび信号ＡにおけるリソースエレメントＣＴも同様である。
【００４８】
また、図９における例では、信号Ａは、信号ＢのリソースエレメントＮと時間帯が重なる複数のリソースエレメントに、位相を連続させたシンボルを割り当てられた信号であった。信号Ａが、信号ＢのリソースエレメントＮと時間帯が重なる複数のリソースエレメントに、位相を連続させたシンボルを割り当てていない信号である場合について、図１１を用いて説明する。
【００４９】
図１１では、図９と同様に信号Ａおよび信号Ｂの構成の一部を時系列的に並べて表した図である。図１１と図９で異なる点は、信号Ｂおよび回り込んで干渉を与える信号Ａの時系列的なずれである。制御部１０２は、図９で説明した同様の動作から、この時系列的なずれがｔｌａｇ２であると検知する。
【００５０】
この場合、信号ＢのリソースエレメントＮに干渉を与える信号Ａのリソースエレメントは、リソースエレメントＣＴの一部およびリソースエレメントＤＴの一部である。これら２つのリソースエレメントには、一方には既知シンボルが割り当てられており、もう一方にはデータシンボルが割り当てられている。すなわち、位相を連続させたシンボルが割り当てられていない。したがって、干渉低減部１０５がＦＦＴ  ｗｉｎｄｏｗをかける区間においては、これら２つのリソースエレメントにおける信号の波形は連続していない。信号の波形が連続していない場合、干渉低減部１０５が推定する干渉伝搬路特性ＩＡの精度が低下する。そこで、制御部１０２は信号ＢのリソースエレメントＮと時間帯が重なる複数のリソースエレメントに、位相を連続させたシンボルを割り当てた信号ａを構成する。
【００５１】
この信号ａは、送信部１０３を通じて無線通信装置２００に送信される。この信号ａも信号Ａと同様に、信号Ｂに干渉を与える。この信号ａが信号Ｂに対して与える干渉の干渉伝搬路特性は変わらずＩＡとする。図１１は、干渉を与える信号ａおよび信号Ｂの一部を時系列的に並べて表している。信号ａにすることにより、信号ＢのリソースエレメントＮと時間帯が重なる２つのリソースエレメントに、位相を連続させたシンボルが割り当てられる。干渉低減部１０５がＦＦＴ  ｗｉｎｄｏｗをかける区間は、図１０で説明した位相を連続させたシンボルが割り当てられた２つのリソースエレメントにまたがることになる。図９で説明した場合と同様に、信号の波形が連続している場所にＦＦＴ  ｗｉｎｄｏｗがかけられていることで、干渉低減部１０５は干渉伝搬路特性ＩＡの推定を精度よく行うことができる。
【００５２】
以上説明したように、信号ＢのリソースエレメントＮに干渉を与える信号Ａのリソースエレメントに割り当てられたシンボルの位相が連続していなくても、シンボルの割り当てを変更することで、信号ＢのリソースエレメントＮと時間帯が重なる２つのリソースエレメントに、位相を連続させたシンボルが割り当てることができる。
【００５３】
以上に本実施形態を説明したが、変形例は様々に実装、実行可能である。例えば、本実施形態では、図２に示す無線通信装置１００および２００の通信システムにおいて、信号Ｂを受信している周波数帯αのすべてを用いてフルデュプレックス通信を行っている。無線通信装置１００および２００は、一部の周波数帯でフルデュプレックス通信を行うようにしてもよい。例えば、周波数帯αを周波数帯α１、α２に細分化できる場合、信号Ｂは周波数帯α１、α２を用いて無線通信装置２００から送信されるが、無線通信装置１００は周波数帯α１を用いて信号Ａを送信してフルデュプレックス通信を行い、周波数帯α２は信号Ｂの受信に用いるとしてもよい。逆に、信号Ｂは周波数帯α１を用いて無線通信装置２００から送信されるが、無線通信装置１００は周波数帯α１およびα２を用いて信号Ａを送信し、フルデュプレックス通信を行うようにしてもよい。また、時間帯についても、一部の時間帯でフルデュプレックス通信を行うようにしてもよい。
【００５４】
また、本実施形態における信号Ｂの構成は、一部の周波数帯および一部の時間帯のリソースエレメントにヌルを割り当てている。この信号Ｂにおいて、ヌルを割り当てるリソースエレメントを増やしてもよいし、減らしてもよい。また、この信号Ｂにおいて、一部の時間帯にとどまらずすべての時間帯についてヌルを割り当てるようにしてもよい。なお、この場合、制御部１０２は、干渉を与える信号Ａおよび信号Ｂの時系列的なずれを検出しなくてもよい。
【００５５】
また、信号Ａは、図１２のような構成であってもよい。図１２には、位相を連続させたシンボルが割り当てられたリソースエレメントＣＴと同じ時間帯であって、両隣の周波数帯に位相を連続させたシンボルを割り当てた信号の構成が表されている。信号Ｂのヌルを割り当てたリソースエレメントＮには、両隣の周波数帯の周波数帯からシンボルが漏れこむ可能性がある。信号ＡにおけるリソースエレメントＣＴの両隣の周波数帯のリソースエレメントに位相を連続させた既知シンボルを割り当てることで、リソースエレメントＮの両隣の周波数帯からのシンボルの漏れこみが軽減されるため、干渉低減部１０５において干渉伝搬路特性ＩＡを精度よく推定することができる。
【００５６】
また、本実施形態における信号Ａおよびａでは、２つのリソースエレメントに位相を連続させたシンボルが割り当てられているが、３つ以上のリソースエレメントに位相を連続させたシンボルが割り当てられるようにしてもよい。また、信号Ｂにおいてヌルが割り当てられた周波数帯以外にも、本実施形態と同様、時系列的に並んだ複数のリソースエレメントに位相を連続させたシンボルが割り当てられるようにしてもよい。なお、無線通信装置１００は、この信号Ｂにおいてヌルが割り当てられた周波数帯以外にも時系列的に並んだ複数のリソースエレメントに位相を連続させたシンボルを割り当てる場合、少なくとも一部には位相が連続していないシンボルを割り当てる。
【００５７】
また、本実施形態では、信号Ａおよび信号Ａからの干渉を受けた信号Ｂの時系列的なずれが１つのリソースエレメントの時間長より大きい場合、無線通信装置１００は信号Ａの構成を変更し、信号ａとしていた。無線通信装置１００は、信号Ａの送信タイミングを変更することで、信号Ｂのヌルが割り当てられたリソースエレメントの時間帯と干渉を与える信号Ａの位相を連続させたシンボルが割り当てられた複数のリソースエレメントの時間帯とが重なるようにしてもよい。
【００５８】
また、本実施形態では、無線通信装置１００は、信号Ｂおよび干渉を与える信号Ａに時系列的なずれが生じていても干渉伝搬路特性ＩＡを精度よく推定できるように信号を構成している。一方、干渉に関してはフルデュプレックス通信の相手である無線通信装置２００でも同様である。すなわち、図１３に表すように、無線通信装置２００が受信する信号Ａは、無線通信装置２００が送信する信号Ｂから干渉を受ける。
【００５９】
無線通信装置２００も、無線通信装置１００と同様に、信号Ａが信号Ｂから受ける干渉の干渉伝搬路特性（以降、ＩＢと呼ぶ）を推定する。無線通信装置２００は、信号Ｂおよび干渉伝搬路特性ＩＢから、この干渉を低減させる信号（以降、ＲＢと呼ぶ）を生成する。無線通信装置２００は、この信号ＲＢにより信号Ｂの干渉を低減し、データＡを復調することができる。
【００６０】
無線通信装置１００は、無線通信装置２００が干渉伝搬路特性ＩＢを精度よく推定することができる信号を構成し、送信するようにしてもよい。
【００６１】
例えば、無線通信装置２００が送信する信号を信号２Ｂとする。この信号２Ｂの構成の一例を、図１４を用いて説明する。信号２Ｂは信号Ｂと同様に、周波数帯および時間帯で区切られたリソースエレメントにシンボルが割り当てられている。また、この信号２Ｂは信号Ｂと異なり、既知シンボルおよびデータシンボルが割り当てられている。図１４では、既知シンボルが割り当てられたリソースエレメントをリソースエレメントＰＲと表している。
【００６２】
この場合の、無線通信装置１００が送信する信号を信号２Ａとする。この信号２Ａの構成の一例を、図１５を用いて説明する。信号２Ａは信号Ａと同様に、周波数帯および時間帯で区切られたリソースエレメントにシンボルが割り当てられている。また、この信号２Ａは信号Ａと異なり、一部の周波数帯において、時系列的に連続したリソースエレメントにヌルが割り当てられている。また、このヌルが割り当てられた時間帯と同じ時間帯であって、両隣の周波数帯に位相を連続させた既知シンボルが割り当てられている。
【００６３】
図１３と同様に、信号２Ｂは信号２Ａに対して干渉となる。信号２Ａが信号２Ｂから受ける干渉の干渉伝搬路特性は変わらず干渉伝搬路特性ＩＢである。
【００６４】
なお、このヌルが割り当てられた時間帯と同じ時間帯であって、両隣の周波数帯に位相を連続させた既知シンボルが割り当てられているのは、このヌルが割り当てられたリソースエレメントに対して両隣の周波数帯から信号の漏れこみが生ずる可能性があるためである。このヌルが割り当てられたリソースエレメントの両隣の周波数帯のリソースエレメントに位相を連続させた既知シンボルを割り当てることで、ヌルが割り当てられたリソースエレメントへの漏れこみも既知シンボルとすることができる。無線通信装置２００はこの漏れこんだ既知シンボルの影響を取り除くことができるため、干渉伝搬路特性ＩＢの推定を精度よく行うことができる。
【００６５】
なお、図１４に表した信号２Ｂの構成および図１５に表した信号２Ａの構成は一例であって、シンボルの割り当てを限定するものではない。リソースエレメントに対する既知シンボル、データシンボルの割り当ておよびヌルの割り当ては様々に考えられ、組み合わせは任意である。なお、信号２Ａにおけるヌルを割り当てられたリソースエレメントが属する周波数帯と、信号２Ｂにおける位相を連続させた既知シンボルが割り当てられたリソースエレメントが属する周波数帯とが同じであれば、無線通信装置２００による干渉伝搬路特性ＩＢの推定を精度よく行うことができる。
【００６６】
この信号２Ａおよび２Ｂが用いられた場合における、信号２Ｂが信号２Ａに与える干渉を、図１６を用いて説明する。図１６では、信号２ＢのリソースエレメントＰＲに割り当てられた既知シンボルが、信号２Ａのリソースエレメントに干渉を与えていることを表している。図９で説明した場合と同様に、干渉となる信号２Ｂは無線通信装置２００に回り込んで受信されるため、信号２Ａの時間帯および信号２Ｂの時間帯とが一致するとは限らない。例えば図１６では、信号２Ａおよび信号２Ｂはｔｌａｇ３だけずれている。
【００６７】
図１６では、信号２Ｂの既知シンボルは、信号２Ａのヌルが割り当てられたリソースエレメントに対して干渉を与えている。無線通信装置２００は、信号２Ｂの既知シンボルが与えた干渉を取得することができる。干渉伝搬路特性ＩＢの推定を精度よく行うことができる。したがって、信号２Ａおよび信号２Ａに干渉を与える信号２Ｂが時系列的にずれを生じていても、無線通信装置２００は干渉伝搬路特性ＩＢの推定を精度よく行うことができる。
【００６８】
以上のようにして、無線通信装置１００は無線通信装置２００が干渉伝搬路特性ＩＢを精度よく推定することができる信号２Ａを構成し、送信するようにしてもよい。
【００６９】
なお、信号２Ｂの既知シンボルが信号２Ａのヌルが割り当てられたリソースエレメントに対して干渉を与えることで、無線通信装置２００は信号２Ｂの既知シンボルが与えた干渉を取得することができる。信号２Ａおよび信号２Ａに干渉を与える信号２Ｂにおける時系列的なずれがｔｌａｇ３よりも大きく、信号２Ｂの既知シンボルが信号２Ａのデータシンボルに干渉を与える場合は、無線通信装置２００によってヌルが割り当てられたリソースエレメントに干渉を与えるように既知シンボルを割り当てる必要がある。
【００７０】
また、図１６では説明のために、それぞれ信号２Ｂおよび信号２Ａの一部を表しているが、信号２Ｂにおける他のリソースエレメントＰＲが信号２Ａのリソースエレメントに与える干渉についても同様である。
【００７１】
また、本実施形態における無線通信装置１００の機能は、プログラムによっても実現可能である。このプログラムは、インストール可能な形式または実行可能な形式のファイルでＣＤ−ＲＯＭ、メモリカード、ＣＤ−ＲおよびＤＶＤ（Ｄｉｇｉｔａｌ  Ｖｅｒｓａｔｉｌｅ  Ｄｉｓｋ）などのコンピュータで読み取り可能な記憶媒体に記憶されて提供されてもよい。また、このプログラムは、インターネット等のネットワークに接続されたコンピュータ上に格納し、ネットワーク経由で提供されるようにしてもよいし、ＲＯＭ、ＨＤＤ、ＳＳＤなどの記憶媒体に組み込んで提供されるようにしてもよい。
【００７２】
以上説明したように、本実施形態の無線通信装置１００は、無線通信装置２００とのフルデュプレックス通信において、時系列的に複数のリソースエレメントに渡って位相を連続させたシンボルを割り当てた信号を送信する。無線通信装置１００が位相を連続させたシンボルを割り当てることで、無線通信装置２００が送信する信号のリソースエレメントＮと位相を連続させたシンボルが割り当てられたリソースエレメントＣＴとが、時系列的に重なりやすくなる。また、無線通信装置１００は、このリソースエレメントＮと位相を連続させたシンボルとが、時間帯が重なるように、この位相を連続させたシンボルを割り当てる。このようにすることで、無線通信装置２００が送信する信号および無線通信装置１００が送信し、干渉となる信号に時系列的なずれが生じていても、無線通信装置１００は干渉伝搬路特性ＩＡを精度よく推定することができる。
【００７３】
また、無線通信装置１００は時系列的に複数のリソースエレメントに渡ってヌルを割り当てた信号を送信する。無線通信装置１００がこの複数のリソースエレメントにヌルを割り当てることで、無線通信装置２００が送信する信号におけるシンボルが割り当てられたリソースエレメントと、ヌルを割り当てたリソースエレメントＮとが、時系列的に重なりやすくなる。このようにすることで、無線通信装置１００が送信する信号および無線通信装置２００が送信し、干渉となる信号に時系列的なずれが生じていても、無線通信装置２００は干渉伝搬路特性ＩＢを精度よく推定することができる。
【００７４】
本発明のいくつかの実施形態を説明したが、これらの実施形態は、例として提示したものであり、発明の範囲を限定することは意図していない。これら新規の実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７５】
１０…端末
２０…基地局
１００…無線通信装置
１０１…取得部
１０２…制御部
１０３…送信部
１０４…受信部
１０５…干渉低減部
１０６…出力部
２００…無線通信装置
２５０…ネットワーク
【図１】
2020127113.tif 000003
【図２】
2020127113.tif 000004
【図３】
2020127113.tif 000005
【図４】
2020127113.tif 000006
【図５】
2020127113.tif 000007
【図６】
2020127113.tif 000008
【図７】
2020127113.tif 000009
【図８】
2020127113.tif 000010
【図９】
2020127113.tif 000011
【図１０】
2020127113.tif 000012
【図１１】
2020127113.tif 000013
【図１２】
2020127113.tif 000014
【図１３】
2020127113.tif 000015
【図１４】
2020127113.tif 000016
【図１５】
2020127113.tif 000017
【図１６】
2020127113.tif 000018